(57)【要約】【課題】靴が擦れて壁板が汚れるのを防止できる、背板が無いタイプのシューズラックに用いられる棚板を提供する。【解決手段】棚板１０，１０’は、背板を設けないタイプのシューズラック２０に用いられる。棚板１０，１０’は、平板状の棚板本体１２と、シューズラック２０の側面に設けられる棚支持部材２２に取り付けた時に、シューズラック２０背面に露出する壁板Ｗ側となる前記棚板本体１２の奥側端部から上方に向かって立設された防汚部材１４とを備える。【選択図】図３
2019076355.tif 000002
【特許請求の範囲】
【請求項１】
背板を設けないタイプのシューズラックに用いられる棚板において、
前記棚板は、平板状の棚板本体と、シューズラックの側面に設けられる棚支持部材に取り付けた時に、シューズラックの背面に露出する壁板側となる前記棚板本体の奥側端部から上方に向かって立設された防汚部材とを備えることを特徴とする棚板。
【請求項２】
前記棚板本体と前記防汚部材との境界部分である入隅部が凹湾曲面となっていることを特徴とする請求項１に記載の棚板。
【請求項３】
請求項１または２に記載の棚板と、該棚板を支持する左右一対の棚支持部材とを備えることを特徴とするシューズラック。
【発明の詳細な説明】
【技術分野】
【０００１】
本発明は、玄関やシューズインクローク、クローゼット等の壁板を背板の代替として使用するシューズラックに関し、背板代わりの壁板に靴が擦れて汚れるのを防止できるシューズラックならびにこれに用いられる棚板に関するものである。
【背景技術】
【０００２】
玄関等の壁板を背板の代替として使用する、背板が無いタイプのシューズラックが知られている。この背板が無いタイプのシューズラックは、左右一対の側板と、複数の棚板とを有し、この左右一対の側板間に各棚板を架設するようにしたもので、設置が簡単で、しかも、背板が無い分、省スペース化を図ることができるといったメリットがあることから、近年大変な人気を集めている。
【先行技術文献】
【特許文献】
【０００３】
【非特許文献１】インターネット＜ＵＲＬ：https://www.daiken.jp/product/detail/storage/18100270.html＞
【発明の概要】
【発明が解決しようとする課題】
【０００４】
このような背板が無いタイプのシューズラックでは、壁板がラック内に露出しているため、棚板に靴を置いたり、棚板に置かれた靴を取り出す際、靴が壁板に擦れて壁板を不所望に汚してしまうことがあった。
【０００５】
玄関は人目に触れやすい場所であり、また、壁紙の色も白やベージュといった明るい色を基調としたものが選択されることが多いため、このような壁板の汚れは大変目立ちやすく、見苦しいという問題があった。
【０００６】
本発明は、かかる従来の問題点に鑑みてなされたもので、靴が擦れて背板代わりの壁板が汚れるのを防止できる背板が無いタイプのシューズラックならびにこれに用いられる棚板を提供することにある。
【課題を解決するための手段】
【０００７】
請求項１に記載した発明は、「背板を設けないタイプのシューズラック２０に用いられる棚板１０，１０’において、
棚板１０，１０’は、平板状の棚板本体１２と、シューズラック２０の側面に設けられる棚支持部材２２に取り付けた時に、シューズラック２０の背面に露出する壁板Ｗ側となる棚板本体１２の奥側端部から上方に向かって立設された防汚部材１４とを備える」ことを特徴とする棚板１０，１０’である。
【０００８】
請求項２に記載した発明は、「棚板本体１２と防汚部材１４との境界部分である入隅部Ｘが凹湾曲面となっている」ことを特徴とする。
【０００９】
請求項３に記載した発明は、「請求項１または２に記載の棚板１０，１０’と、該棚板１０，１０’を支持する左右一対の棚支持部材２２とを備える」ことを特徴とするシューズラック２０である。
【発明の効果】
【００１０】
これらの発明によれば、棚板本体の奥側端部に防汚部材が立設されているので、シューズラックに靴を出し入れする際、靴が当該防汚部材と当接して壁板との接触を防止できるので、背板代わりの壁板が汚れることはない。
【図面の簡単な説明】
【００１１】
【図１】本発明に係る１実施例の棚板を示す斜視図である。
【図２】棚板の側面図である。
【図３】本発明にかかる棚板を用いたシューズラックを示す図である。
【図４】棚柱への棚受部材の取り付け状態を示す図である。
【図５】使用状態を示す図である。
【図６】棚板の他の実施例を示す図である。
【発明を実施するための形態】
【００１２】
以下、本発明にかかる棚板ならびにこれを用いたシューズラックについて図面を用いて説明する。ここでは、まず棚板について説明し、然る後、棚板を用いたシューズラックについて説明する。図１は、本発明にかかる棚板１０を示す斜視図であり、図２は棚板１０の側面図である。これらの図が示すように、本発明にかかる棚板１０は、棚板本体１２と防汚部材１４とを有する。
【００１３】
棚板本体１２は、合成樹脂の押出材で構成された中空の平板状部材で、その大きさは棚板１０を取り付ける場所の広さに応じて適宜設定される（本実施例では、幅が８００ｍｍ、奥行きが３００ｍｍ、厚みが２０ｍｍの大きさに設定されている。）。
【００１４】
棚板本体１２の前端部１２ａは、角部が面取りされて断面半円或いは円弧状に形成されており、底面１２ｂには、その前後両端部に棚受嵌合部１６が形成されている。各棚受嵌合部１６は、後述するシューズラック２０に取り付けられた棚受部材２６が嵌め込まれる部分で、本実施例では、長手方向に伸びる凹溝として棚板本体１２の前端辺と後端辺に平行にて棚板本体１２の下面に形成されている。また、棚板本体１２の中空部１２ｃには、複数の縦リブ１２ｄが所定間隔を隔てて平行に配置されている。
【００１５】
棚板本体１２の材料となる合成樹脂としては、ＡＢＳ樹脂、ポリプロピレン(ＰＰ)，アクリル樹脂(ＰＭＭＡ)，ポリエチレンテレフタレート(ＰＥＴ)といった熱可塑性樹脂、或いは、フェノール樹脂やメラミン樹脂といった熱硬化性樹脂を使用することができる。また、棚板本体１２の材料としては、上述した合成樹脂に限られるものではなく、例えば、無垢材，合板，繊維板，パーティクルボードといった木質系材料を使用することもできるし、アルミニウム合金やステンレスといった金属を用いることも可能である。なお、棚板本体１２を合成樹脂や金属で形成した場合には、押出成形により簡単かつ安価に製造することができるという利点があり好ましい。
【００１６】
棚板本体１２の後端部１２ｅには、その上面から防汚部材１４が立設されている。防汚部材１４は、棚板本体１２と同幅にて形成された中空の細長板状部材で、本実施例では、棚板本体１２と同じ合成樹脂の押出材により棚板本体１２と一体的に形成されている。なお、本実施例では、上述したように棚板本体１２と防汚部材１４とが一体物として構成されているが、これらをそれぞれ別部材として形成し、接着などの手段で両部材１２、１４を一体化してもよい。
【００１７】
防汚部材１４の高さｈは、棚板本体１２に靴Ｓを置いたとき（図４参照）に靴底部材Ｓａの踵と当接するように設定され、本実施例では、高さｈが３０ｍｍ±１０ｍｍに設定されている。
【００１８】
次に、棚板１０を用いたシューズラック２０について説明する（図３参照）。シューズラック２０は、背板のないタイプのもので、棚板１０および棚板１０を支持する左右一対の棚支持部材２２により大略構成されている。
【００１９】
各棚支持部材２２は、壁板Ｗから室内側に張り出した既設の側壁ＳＷを使用する態様（図３中、右側の棚支持部材２２ａ）と、既設の側壁ＳＷを使用しない態様（図３中、左側の棚支持部材２２ｂ）とがある。以下、各態様について説明する。
【００２０】
既設の側壁ＳＷを使用する場合、棚支持部材２２ａは、前後一組の棚柱２４および複数の棚受部材２６により構成される。
【００２１】
棚柱２４は、金属などの剛性材料（本実施例ではステンレスが使用されている）からなる細長中空の長尺部材で、既存の側壁ＳＷに、棚板１０の棚受嵌合部１６の間隔と一致するように、所定間隔を隔てて取り付けられる。棚柱２４の既設の側壁ＳＷへの取り付けは、ビス等による固定によって行われる。
【００２２】
各棚柱２４の既存の側壁ＳＷの反対側の面の中央部分には、複数の棚受部材取付孔２８が長手方向に所定間隔を隔てて形成されている。各棚受部材取付孔２８は、上下方向に伸びる細長孔２８ａと、細長孔２８ａの中央部に配置された角孔２８ｂとが組み合わされた形状をなしており、角孔２８ｂが細長孔２８ａよりも幅広のものとして構成されている（図４参照）。
【００２３】
棚受部材２６は、金属などの剛性材料（本実施例では、ステンレス）からなる薄板材を折曲形成したもので、図４に示すように、横向きＵ字状の棚受部２６ａおよび棚受部２６ａから下方に延設された支持部２６ｂを有する。棚受部２６ａの基端部には、棚受部材２６を略４５度の角度で回転させたときに棚柱２４の角孔２８ｂに嵌まりこむ抜止片２６ｃが形成されており、支持部２６ｂの先端には、棚柱２４の細長孔２８ａに嵌まりこむ係止爪２６ｄが形成されている。
【００２４】
棚受部材２６の棚柱２４への取り付けは、以下のようにして行われる。まず、棚受部材２６を４５度傾け、抜止片２６ｃを棚柱２４の角孔２８ｂに挿入する。そして、棚受部材２６を元の角度となるように回転させ（これにより、抜止片２６ｃが角孔２８ｂの孔縁と当接して抜け止めとなる。）、係止爪２６ｄを一段下の棚受部材取付孔２８の細長孔２８ａに嵌めこむ。これにより、棚受部材２６の棚柱２４への取り付けが完了する。
【００２５】
一方、既設の壁板Ｗを使用しない場合の棚支持部材２２ｂは、縦パネル３０、前後一組の棚柱２４および複数の棚受部材２６により構成される。
【００２６】
縦パネル３０は、シューズラック２０の側板となるもので、枠材を矩形状に組合せ、その表面に化粧板３０ａを貼着することにより形成された板状の部材として構成されている。縦パネル３０の大きさは、シューズラック２０の大きさに応じて適宜の大きさのものが選択される（本実施例では、高さが１７５０ｍｍ、奥行きが３００ｍｍ、厚みが２０ｍｍの大きさのものとして構成されている。）。
【００２７】
縦パネル３０には、前後一組の棚柱２４が棚板１０の棚受嵌合部１６の間隔と一致するように、所定間隔を隔てて取り付けられ、この棚柱２４が取り付けられた縦パネル３０が既設の側壁ＳＷから所定間隔隔てた位置に、別途用意した取付金具（図示せず）を用いて壁板Ｗ及び床面に取り付けられる。
【００２８】
そして、各棚柱２４の任意の高さに棚受部材２６が上述した方法によりそれぞれ取り付けられ、棚受嵌合部１６に棚受部材２６が嵌まり込むようにして棚受部材２６の上に棚板１０を載置すると、シューズラック２０が完成する。
【００２９】
シューズラック２０を使用する際は、棚板１０に靴Ｓを載置することになるが、本実施例の棚板１０は、棚板本体１２の奥側（壁板Ｗ側）に防汚部材１４が立設されているので、シューズラック２０から靴Ｓを出し入れする際、靴底部材Ｓａが防汚部材１４と当接して直接壁板Ｗと接触することがない。したがって、従来のように靴Ｓの靴底部材Ｓａが壁板Ｗと擦れて壁板Ｗが汚れるようなことはなく、壁板Ｗを常に美しい状態に保つことができる。
【００３０】
なお、棚板１０を長期間使用していると、ゴミ（埃や、靴Ｓに付着している砂・泥など）が棚板１０の棚板本体１２と防汚部材１４との境界部分である入隅部分Ｘに溜まることがあるが、このような入隅部分Ｘにゴミが溜まると見苦しいという問題がある。
【００３１】
この場合は、図７に示す棚板１０’のように、棚板本体１２と防汚部材１４との入隅部分Ｘを全長にわたって凹湾曲面として形成すればよく、このようにすることで上述した入隅部分Ｘにゴミが溜まるのを防止できる。
【符号の説明】
【００３２】
１０：棚板、１２：棚板本体、１２ａ：（棚板本体の）前端部、１２ｂ：底面、１２ｃ：中空部、１２ｄ：縦リブ、１２ｅ：（棚板本体の）後端部、１４：防汚部材、１６：棚受嵌合部、２０：シューズラック、２２（２２ａ，２２ｂ）：棚支持部材、２４：棚柱、２６：棚受部材、２６ａ：棚受部、２６ｂ：支持部、２６ｃ：抜止片、２６ｄ：係止爪、２８：棚受部材取付孔、２８ａ：細長孔、２８ｂ：角孔、３０：縦パネル、ｈ：防汚部材の高さ、Ｓ：靴、Ｓａ：靴底部材、ＳＷ：既設の側壁、Ｗ：壁板、Ｘ：棚板本体と防汚部材との入隅部分、
【図１】
2019076355.tif 000003
【図２】
2019076355.tif 000004
【図３】
2019076355.tif 000005
【図４】
2019076355.tif 000006
【図５】
2019076355.tif 000007
【図６】
2019076355.tif 000008